(57)【要約】【課題】射撃競技の指導等に有効に寄与する射撃競技用光線銃及び射撃競技指導用システムを低コストで提供して採用を促す。【解決手段】引き金部が引かれ始めてから撃鉄部が落とされるまでの間に連続発射される軌跡用光弾Ａ及び、この軌跡用光弾Ａの連続発射が止むと同時に発射される射撃用光弾Ｂの２種類の光弾を発射する発光部を有する射撃競技用光線銃と、軌跡用光弾Ａ及び射撃用光弾Ｂが着弾する標的２１、軌跡用光弾Ａを受光する軌跡用光弾受光部２２１を備えるカメラ２２、射撃用光弾Ｂを受光する射撃用光弾受光センサ２３、及びこれらの光弾の標的２１上の位置等を計測して算出する情報処理部２４を備える標的装置２と、情報処理部２４で計測されたこれらの光弾の位置等が表示される表示部３１を備える表示装置３を含んで射撃競技指導用システムが構成され、軌跡用光弾Ａが表示部３１において線状の軌跡Ｘとして表示される。【選択図】図１
2015124972.tif 000002
【特許請求の範囲】
【請求項１】
光弾の連続発射が可能であり、この光弾の連続発射を、射手の射撃時の動作を視覚的に捕らえるためのデータとすることができる射撃競技用光線銃であって、
前記光弾が発射される発光部と、この発光部から前記光弾が発射されるためのトリガーとなる引き金部と、この引き金部が引かれることにより落とされる撃鉄部とを備え、
前記引き金部が引かれ始めてから前記撃鉄部が落とされるまでの間、前記光弾が前記発光部から連続発射される、
ことを特徴とする射撃競技用光線銃。
【請求項２】
前記光弾の連続発射が止むと同時に、前記光弾と区別される第２光弾が発射される、
ことを特徴とする請求項１に記載の射撃競技用光線銃。
【請求項３】
請求項１又は請求項２に記載の射撃競技用光線銃と、この射撃競技用光線銃から発射される前記光弾が着弾する標的を備える標的装置と、この標的装置に着弾した前記光弾の前記標的上の着弾点を表示する表示装置を含んで構成され、
前記表示装置は、前記光弾の連続発射に対応する連続した線状の軌跡として前記着弾点を表示する、
ことを特徴とする射撃競技指導用システム。
【請求項４】
前記線状の軌跡としての着弾点に基づいて、前記射撃競技用光線銃の銃口の上下の動きが前記表示装置に表示される、
ことを特徴とする請求項３に記載の射撃競技指導用システム。
【発明の詳細な説明】
【技術分野】
【０００１】
本発明は、射撃競技の指導等に有効に寄与し、さらにコスト削減を実現して設置を促すことができ、射撃競技の普及を国際的にも進めることのできる射撃競技用光線銃及び射撃競技指導用システムに関する。
【背景技術】
【０００２】
銃砲刀剣類所持等取締法の厳しい規制下にある日本において、光線銃を使った射撃は、所持等に許可が必要とならずに誰もが手軽に楽しめるスポーツとして振興、普及が図られてきた。その結果、光線銃による射撃競技が国民体育大会（国体）の正式種目の１つとなり、最近では、光線銃の一種であるレーザーピストルが近代五種競技の射撃種目で導入されるに至っている。
【０００３】
射撃競技では、引き金を引いて弾を発射し、標的の中心を照準で定めたとおりに打ち抜く技術が求められる。光線銃の引き金は、所謂「二段引き」と呼ばれる仕組みを備えている。二段引きは、引き金の抵抗が軽く、引き金をある程度の距離にわたり引くことのできるファーストステージと、このファーストステージを経た後の、引き金に生じた抵抗よりも強い力で引き金を引くことで撃鉄を落とし、光弾を発射するセカンドステージとからなる。射手は、構え始めてファーストステージの状態でまず照準を定める。続いて、照準が良い範囲に入ったタイミングでセカンドステージに移行し、光弾を発射する。したがって、射撃技術の向上には、構え始めから引き金を引いて光弾を発射するまでの動作を把握することが欠かせない。
【０００４】
このような事情に鑑み、下記特許文献１では光線銃と標的装置との相互関与を通じ、光弾を発射するまでの間の銃口の向き等から想定される光弾の仮想の着弾点を、線状の軌跡として表示装置上で表示する光銃の射撃システムに係る発明が提案されている。標的装置から信号が光線銃へ向けて送信されると、この信号を受信した光線銃が自動的に標的装置へ向けて光線を発射するので、この光線を標的装置で捕らえて表示装置で軌跡として表示する仕組みである。
【０００５】
しかし、特許文献１で提案される技術では、光線銃と標的装置との相互関与によりシステムが成立するため、光線銃と標的装置との間の位置関係に精度が求められたり、光線銃と標的装置との相互に関与させるタイミングの調整、光線にコードを含ませる必要があったりする等、比較的複雑な制御機構を構築することが必要となる。したがって、コストが高くなるとともにメンテナンスの面で取り扱いが煩雑となるほか、専門的な知識のある技術者及び、対応する専用設備や部品、多くの作業時間等が製造現場において必要とされる。大会等での競技の実施においても設備調整のための専門的な人材を配置することが求められる。なお、従来の技術として、電源を入れると光線が発射し続ける光線銃も知られている。
【先行技術文献】
【特許文献】
【０００６】
【特許文献１】特許第３６５３０２１号公報
【発明の概要】
【発明が解決しようとする課題】
【０００７】
上述のとおり、射撃技術を向上させるためには、構え始めから引き金を引いて光弾を発射するまでの射手の動作を把握し、照準で定めたとおりに標的の中心を正確に打ち抜く技術を磨くことが求められる。しかしながら、この用途に資するための従来の技術は、以下の問題点を含んでいた。
【０００８】
（１）射手の意思に関係なく、標的装置からの信号によって光弾が光線銃から発射されてしまうので、光線銃から発射された光弾に係るデータを、構え始めから引き金を引いて光弾を発射するまでの動作の把握のために直接活用することが難しい点
（２）標的装置からの信号を受光する構成を光線銃に備える必要があって、光線銃の構成が複雑になるとともにコスト高になる点
（３）光線銃と標的装置との相互関与を要し、比較的複雑な制御機構を構築する必要があってコスト高になり、メンテナンスの面で取り扱いが煩雑で、専門的な知識のある技術者及び、対応する設備や部品、多くの作業時間等が製造過程で求められ、調整過程においても専門的な人材が必要となる点
【０００９】
本発明は、上記実情に鑑み提案され、構え始めから引き金を引いて光弾を発射するまでの射手の動作を理解するために必要となる構成を簡素に構築し、製造及びメンテナンスにかかるコスト削減を実現して採用を促すことができ、射撃競技の指導等に有効に寄与するとともに射撃競技の普及を進めることのできる射撃競技用光線銃及び射撃競技指導用システムを提供することを目的とする。
【課題を解決するための手段】
【００１０】
上記目的を達成するために、本発明は、光弾の連続発射が可能であり、この光弾の連続発射を、射手の射撃時の動作を視覚的に捕らえるためのデータとすることができる射撃競技用光線銃であって、前記光弾が発射される発光部と、この発光部から前記光弾が発射されるためのトリガーとなる引き金部と、この引き金部が引かれることにより落とされる撃鉄部とを備え、前記引き金部が引かれ始めてから前記撃鉄部が落とされるまでの間、前記光弾が前記発光部から連続発射されることを特徴とする。
【００１１】
さらに、前記光弾の連続発射が止むと同時に、前記光弾と区別される第２光弾が発射されることを特徴とする。
【００１２】
また、本発明に係る射撃競技指導用システムは、上記構成の射撃競技用光線銃と、この射撃競技用光線銃から発射される前記光弾が着弾する標的を備える標的装置と、この標的装置に着弾した前記光弾の前記標的上の着弾点を表示する表示装置を含んで構成され、前記表示装置は、前記光弾の連続発射に対応する連続した線状の軌跡として前記着弾点を表示することを特徴とする。さらに上記線状の軌跡としての着弾点に基づいて、前記射撃競技用光線銃の銃口の上下の動きが前記表示装置に表示されることを特徴とする。
【発明の効果】
【００１３】
本発明は、光弾の連続発射が可能であり、この光弾の連続発射を、射手の射撃時の動作を視覚的に捕らえるためのデータとすることが可能な射撃競技用光線銃に係る。具体的には、光弾が発射される発光部と、この発光部から光弾が発射されるためのトリガーとなる引き金部と、この引き金部が引かれることにより落とされる撃鉄部とを備え、引き金部が引かれ始めてから撃鉄部が落とされるまでの間、光弾が発光部から連続発射される構成を有している。したがって、光弾が発光部から連続発射されるのが、引き金部が引かれ始めてから撃鉄部が落とされるまでの間であり、射手の意思が直接反映されることとなる。このため、本発明に係る射撃競技用光線銃では、構え始めから引き金を引いて光弾を発射するまでの銃口の動きから、射手の動作（例えば、射撃体勢時の射手の癖）を光弾の連続発射に対応させて視覚的に捕らえることができ、これを理解するためのデータとして直接活用することができるようになる。
【００１４】
さらに、本発明は従来の技術と相違し、標的装置からの信号等を必要としないで、射撃競技用光線銃が備える構成（発光部、引き金部及び撃鉄部等）により、光弾の連続発射を達成することができる。したがって、光線銃の構成が簡素となり、製造面においてコスト削減を実現することができる。メンテナンスの面でも取扱いが容易になって、専門的な人材を必要最小限に抑えることができる。このような構成の射撃競技用光線銃は、各学校、関連する各団体等への採用を促し、射撃競技に触れる人口を増やすことにつながると期待される。
【００１５】
本発明において、光弾の連続発射が止むと同時に、光弾と区別される第２光弾が発射される構成とすれば、第２光弾に対し、撃鉄部が落とされて発射される実際の射撃用光弾としての意味を与えることができる。第２光弾は、引き金部が引かれ始めてから撃鉄部が落とされるまでの間に連続発射される光弾と区別されるので、射撃競技の進行上、連続発射される光弾と混同されることを回避することができる。また、第２光弾として従来の競技用の光弾を採用することを除外しないため、標的装置に特別な構成を追加的に要求せず、本構成によりコスト高となることもない。
【００１６】
また、本発明に係る射撃競技指導用システムは、上記構成の射撃競技用光線銃と、この射撃競技用光線銃から発射される光弾が着弾する標的を備える標的装置と、この標的装置に着弾した光弾の標的上の着弾点を表示する表示装置を含んで構成され、表示装置が光弾の連続発射に対応する連続した線状の軌跡として着弾点を表示する構成である。したがって、引き金部が引かれ始めてから撃鉄部が落とされるまでの間の、発光部から連続発射された光弾の標的上の着弾点が、連続した線状の軌跡として表示装置に表示される。これにより、上述した本発明に係る射撃競技用光線銃の効果を得た上で、光弾の連続発射に基づき、構え始めから引き金を引いて光弾を発射するまでの連続発射された光弾に基づく銃口の動きを、連続した線状の軌跡として表すことができ、この間の射手の動作を視覚的に理解することができる。さらに射撃競技用光線銃における銃口の時間経過と共に動く上下の動きについても、線状の軌跡に対応させて表示する構成により、射手の動作をさらに視覚的に理解した上で、指導等に活用することができる。
【図面の簡単な説明】
【００１７】
【図１】本発明に係る射撃競技指導用システムの概略構成を説明する概略構成図である。
【図２】本発明における射撃競技用光線銃の概略構成及びその作用を説明する概略説明図であって、（ａ）は待機状態にあるときの概略説明図、（ｂ）はファーストステージの状態にあるときの概略説明図、（ｃ）はセカンドステージに至ったときの概略説明図である。
【図３】本発明における標的装置の概略構成を説明する概略説明図であって、（ａ）は標的装置全体の概略説明図、（ｂ）は標的装置内部の概略説明図である。
【図４】本発明における標的装置の情報処理部が行う工程（ステップ）を説明するフローチャートである。
【図５】本発明における表示装置の他の表示形態を説明する説明図である。
【発明を実施するための形態】
【００１８】
以下、本発明に係る射撃競技指導用システムについて、一実施形態を図面とともに説明する。なお、以下説明する実施形態は、本発明の構成を具現化した一例に過ぎず、本発明は、特許請求の範囲に記載した事項を逸脱しないで設計変更することができる。
【００１９】
本発明に係る射撃競技指導用システムは、図１に示すように、連続発射される光弾としての軌跡用光弾Ａ及び、この軌跡用光弾Ａの連続発射が止むと同時に発射される光弾として、軌跡用光弾Ａと区別される射撃用光弾Ｂの２種類の光弾を発射する発光部を有する射撃競技用光線銃（図示省略）と、この射撃競技用光線銃から発射される軌跡用光弾Ａ及び射撃用光弾Ｂが着弾する標的２１、軌跡用光弾Ａの光を受光する軌跡用光弾受光部２２１を備えたカメラ２２、射撃用光弾Ｂの光を受光する射撃用光弾受光センサ２３、及び軌跡用光弾Ａの標的２１上の位置（着弾点）を計測して算出する情報処理部２４を備える標的装置２と、この標的装置２の標的２１に着弾し、情報処理部２４で位置が計測された軌跡用光弾Ａの標的上の軌跡Ｘ及び、射撃用光弾Ｂの着弾点Ｙが表示される表示部３１を備える表示装置３を含んで構成される。
【００２０】
本発明に係る射撃競技指導用システムは、射撃競技用光線銃の引き金部が引かれ始めてから撃鉄部が落とされるまでの間という所定の期間に限定されて連続発射される軌跡用光弾Ａの着弾点が、表示装置３の表示部３１において連続発射に対応した連続的な線状の軌跡Ｘとして表示される。射撃用光弾Ｂは、軌跡用光弾Ａの連続発射が止むと同時に発射される光弾であり、その射撃用光弾Ｂの着弾点Ｙは軌跡用光弾Ａの連続発射の最終着弾点と同じ位置となる（図１参照）。以下、射撃競技用光線銃、標的装置２及び表示装置３の各構成を詳述する。
【００２１】
射撃競技用光線銃１は、図２（ａ）に示すように、光線銃本体部１０と、銃口部分に設けられる発光部１１とを備えて構成されている。光線銃本体部１０には、発光部１１から軌跡用光弾Ａが発射されるためのトリガーとなる引き金部１２と、この引き金部１２が引かれることにより落とされる撃鉄部１３とを備えている。光線銃本体部１０内部には、引き金部１２が引かれたことをセンシングする第１センサ１４、撃鉄部１３が落とされたことをセンシングする第２センサ１５、及び、この第２センサ１５又は第１センサ１４からの信号を受けて、発光部１１における軌跡用光弾Ａ又は射撃用光弾Ｂの発射を制御する制御部１６が設けられている。また、射撃競技用光線銃１の一連の動作を可能とするため、各種部材の機能を起動させるセットセンサ１７も光線銃本体部１０に設けられている。
【００２２】
発光部１１は、軌跡用光弾Ａを発射するための第１発光体を収容している第１発光部１１１、軌跡用光弾Ａの連続発射が止むと同時に発射される射撃用光弾Ｂを発射するための第２発光体を収容している第２発光部１１２を備えている。なお、本実施形態において、軌跡用光弾Ａは第１発光体から発光される不可視レーザー光であり、射撃用光弾Ｂは第２発光体から発光される赤外線レーザー光である。また、第１発光体の発光が軌跡用光弾Ａの発射を、第２発光体の発光が射撃用光弾Ｂの発射をそれぞれ意味する。不可視レーザー光としては、赤外線、紫外線等のレーザー光を挙げることができる。ただし、本発明では、軌跡用光弾及び射撃用光弾について不可視レーザー光、赤外線レーザー光に限定されず、標的上の着弾点を計測可能な光子であれば、どのような波長の光でも採用することができる。軌跡用光弾と射撃用光弾とが区別さえされればよいからである。
【００２３】
引き金部１２は従来と同様、所謂「二段引き」と呼ばれる仕組みを備えている。すなわち、射手はファーストステージにおいて引き金部１２を、ある程度の距離において引くことができる。このファーストステージを経た後に、引き金部１２の一側部１２ａが撃鉄部１３に当接して強い抵抗が生じるので、この抵抗よりも強い力で引き金部１２を引くことで撃鉄部１３を押圧し、これを落とすセカンドステージに入る。射撃競技用光線銃１では、このファーストステージに相当する引き金部１２が引かれ始めてから撃鉄部１３が押圧されて落とされるまでの間、軌跡用光弾Ａが発光部１１の第１発光部１１１から連続発射される。撃鉄部１３が押圧されて落とされると、軌跡用光弾Ａの連続発射が止むと同時に、射撃用光弾Ｂが発射される。
【００２４】
その仕組みは、図２（ａ）の待機状態において、引き金部１２の一端部１２ｂと接して接続がＯＮの状態であった第１センサ１４が、図２（ｂ）に示すように、ファーストステージに入って引き金部１２が引かれると、その接続状態が解かれてＯＦＦの状態となる。これを第１センサ１４がセンシングし、制御部１６を通じて発光部１１の第１発光体を連続発光させることで、軌跡用光弾Ａの連続発射が成立する。さらに、図２（ｃ）に示すように、セカンドステージにおいて撃鉄部１３が引き金部１２の一側部１２ａに押圧されて落とされると、引き金部１２の他端部１２ｃと第２センサ１５との接続がＯＮの状態となる。これを第２センサ１５がセンシングし、制御部１６を通じて発光部１１の第２発光体を発光させることで、第２発光部１１２から射撃用光弾Ｂが１発、発射される。
【００２５】
同時に制御部１６は、第２センサ１５によるセンシングに基づいて第１発光部１１１における第１発光体の連続発光を中止する。これにより射撃用光弾Ｂは、軌跡用光弾Ａの連続発射が停止すると同時に発射されることとなる。上述したように、射撃用光弾Ｂの標的２１上の着弾点Ｙは、軌跡用光弾Ａの連続発射の最終着弾点と同じ位置であるとして表示装置３の表示部３１上で示される（図１参照）。
【００２６】
標的装置２は、図３（ａ）に示すように、中心点Ｏ及びこの中心点Ｏから同心円状に広がる得点帯が並び、射撃競技用光線銃１から発射される軌跡用光弾Ａ及び射撃用光弾Ｂが着弾する標的２１と、この標的２１を備えて構成される筐体２０内に備えられ、標的２１を含んだ画像を１秒当たり所定枚数、例えば、１秒当たり３０枚撮影する機能を有する光学系撮影手段であって、図３（ｂ）に例示されるような、軌跡用光弾Ａを受光する軌跡用光弾受光部２２１を含んで構成されるカメラ２２と、射撃用光弾Ｂの光を受光する射撃用光弾受光センサ２３と、カメラ２２が撮影した画像から、標的２１に軌跡用光弾Ａが着弾している着弾点を含んだ着弾点画像を選別し、着弾点画像に含まれる着弾点及び標的２１の中心点Ｏの画像上の位置を特定するとともに、この位置に基づいて得点を算出する位置特定手段及び演算手段としての情報処理部２４とから構成されている。情報処理部２４は、その出力が筐体２０外の後述する表示装置３に接続されている。
【００２７】
カメラ２２は、ＣＣＤイメージセンサやＣＭＯＳイメージセンサ等の半導体素子である固体撮像素子を備えた所謂デジタルカメラが採用され得る。具体的には、軌跡用固体撮像素子が、軌跡用光弾Ａの不可視レーザー光を受光する軌跡用光弾受光部２２１を構成している。また、レンズの焦点位置及び撮影可能な範囲にも依るが、カメラ２２は、例えば、標的２１から１００〜４００ｍｍ後方であって、レンズの中心と標的の中心点Ｏとのズレが上下、左右、前後のすべて方向に５ｍｍ程度まで許容されて載置される。これにより、カメラ２２が撮影した画像に標的２１の全体が必ず含まれるとともに、後述するように情報処理部２４によって正確な位置及び得点が算出され得るようになる。射撃用光弾受光センサ２３は、射撃用光弾Ｂの光を受光すると、その旨を情報処理部２４に送信する。
【００２８】
情報処理部２４は、カメラ２２が撮影した画像を取り込み、データの２値化変換操作を通じて標的２１に光弾が着弾している着弾点を含む着弾点画像のみを選別する選別手段と、着弾点画像に含まれる着弾点の重心を求め、着弾点の画像上の位置である着弾点座標（ｇＸ，ｇＹ）を特定する着弾点座標特定手段と、標的２１の中心点Ｏの画像上の位置である中心点座標（ｓＸ，ｓＹ）を特定する中心点座標特定手段と、着弾点座標（ｇＸ，ｇＹ）と中心点座標（ｓＸ，ｓＹ）との間の距離を算定する距離算定手段と、距離算定手段が算定した距離に基づいて得点を算出する得点算出手段とを備えている。具体的には、情報処理部２４には、その処理の用に供するプログラムが備えられ、図４に示す各ステップを経て着弾点座標（ｇＸ，ｇＹ）や得点が特定される。
【００２９】
図４に示すように、まず、カメラ２２から情報処理部２４に、カメラ２２が撮影した画像が取り込まれる（Ｓ１：ステップ１）。取り込んだ画像についてのデータの２値化が選別手段によって行われる（Ｓ２：ステップ２）。２値化によって取り込んだ画像に軌跡用光弾Ａの着弾点が含まれるか否かが、例えば、所定値以上の素子の受光が認められた画像において着弾点がある（すなわち、着弾点画像である）と選別される。また、それ以外の画像において着弾点がない（すなわち、着弾点画像ではない）と選別される。着弾点画像ではないと選別された場合、情報処理部２４の処理は、ステップ１に戻される（Ｓ３：ステップ３）。
【００３０】
続いて、着弾点画像上の着弾点の直径が、予め情報処理部２４に入力されている規定値と比べられる（比較手段）。その結果、所定の誤差の範囲内であれば、射撃競技用光線銃１から発射された軌跡用光弾Ａに基づく着弾点として判定される。その範囲から外れた場合には、軌跡用光弾Ａが着弾したものではないとして判定され、ステップ１に戻される（Ｓ４：ステップ４）。ステップ４は、標的２１（カメラ２２の撮影範囲）に想定外の光が何らかの原因で入った場合にも、これを除外し、射撃競技用光線銃１から発射された軌跡用光弾Ａに基づいた着弾点を含む画像のみを抽出するための動作であり、正確な着弾点の位置等の算出に寄与することになる。
【００３１】
さらに、着弾点が軌跡用光弾Ａによるものと判別された着弾点画像に対し、着弾点座標特定手段によって着弾点の重心としての着弾点座標（ｇＸ，ｇＹ）が、その画像上で特定される（Ｓ５：ステップ５）。重心計算は例えば、着弾点画像のＸ，Ｙ軸方向の１次モーメントと面積とから求めることができる。
【００３２】
また、着弾点座標（ｇＸ，ｇＹ）の特定と並行し、中心点座標特定手段によって着弾点画像に対して撮影されている標的１１の中心点Ｏが検索され、その画像上の位置が中心点座標（ｓＸ，ｓＹ）として特定される（Ｓ６：ステップ６）。
【００３３】
着弾点座標（ｇＸ，ｇＹ）及び中心点座標（ｓＸ，ｓＹ）が特定されると、距離算定手段によって、これらの座標間距離が求められる（Ｓ７：ステップ７）。その距離とは、着弾点座標（ｇＸ，ｇＹ）及び中心点座標（ｓＸ，ｓＹ）間の直線距離をいい、ドット間のＸ，Ｙ軸方向の距離（定数；本実施形態では０．０９５７ｍｍ）と併せて、三平方の定理に基づいて算定される。
【００３４】
距離算定手段が算定した距離に基づき、得点算出手段によって得点が算出される。着弾点Ｚの得点計算は、光線銃による射撃競技のルール上、標的１１の中心点Ｏからの距離が０．８ｍｍ離れるごとに得点が０．１点減ることになるので、これに基づいて得点を算出する。具体的には、距離算定手段が算定した距離の値から０．８を引いた数が正の値（プラス）であった場合に、満点（１０．９）から０．１が引かれる。続いて、距離算定手段が算定した距離の値から０．８を引いた数から、さらに０．８を引き、その数が正の値（プラス）であった場合に、満点から０．１を引いた値である１０．８から、さらに０．１を引く。この計算を、０．８を引いたときに零（ゼロ）又は負の値（マイナス）となるまで繰り返し、得点を算出する。すなわち、距離算定手段が算定した距離の値から０．８を引く引き算が繰り返された回数分だけ、満点である１０．９から０．１を引いて得られる点が得点として算出される（Ｓ８：ステップ８）。距離算定手段が算定した距離の値から０．８を引いた数が零（ゼロ）又は負の値（マイナス）であった場合、得点は満点（１０．９）である。
【００３５】
このようにして算出された得点及び着弾点座標（ｇＸ，ｇＹ）は、カメラ２２がシャッターを切るごとに表示装置３に送信され、その表示部３１に表示される（Ｓ９：ステップ９）。なお、軌跡用光弾Ａの着弾点の得点は表示装置３に送信されるものの、実際に射撃を行ったものではないので表示部３１で表示する必要がなく、本実施形態では図１に示すように、着弾点座標（ｇＸ，ｇＹ）が連続した線状の軌跡Ｘのみが表示される。
【００３６】
一方、射撃用光弾受光センサ２３が射撃用光弾Ｂの光を受光し、その旨が情報処理部２４に送信されると、情報処理部２４では、そのタイミングで算出した軌跡用光弾Ａの得点及び着弾点座標（ｇＸ，ｇＹ）を最後の着弾点であると処理し、射撃用光弾Ｂの得点及び着弾点座標（ｇＸ，ｇＹ）として表示装置３に送信する。この射撃用光弾Ｂの得点及び着弾点座標（ｇＸ，ｇＹ）は、表示装置３の表示部３１において、その得点及び着弾点Ｙとして表示される。
【００３７】
本実施形態において、情報処理部２４が筐体２０内に収容されている構成が説明されるが、情報処理部２４は上述した各種の手段を備える限り、筐体２０外の適宜の場所に載置されるパーソナルコンピュータ等に備えされても良い。例えば、表示装置がパーソナルコンピュータで構成される場合等では、表示装置に情報処理部２４を備えさせることができる。
【００３８】
表示装置３は、図１に示すように、標的装置２の標的２１に着弾した軌跡用光弾Ａ及び射撃用光弾Ｂの着弾点を表示する。情報処理部２４で算出された軌跡用光弾Ａの着弾点（着弾点座標（ｇＸ，ｇＹ）は、カメラ２２がシャッターを切るごとに表示装置３に送信されてくる点であるので、シャッターとシャッターとの間に相当する部分が補正された上で、表示装置３の表示部３１において連続発射に対応する連続した線状の軌跡Ｘとして表示される。また、上述のようにして軌跡用光弾Ａの連続発射の最後の着弾点が、射撃用光弾Ｂの着弾点Ｙとして表示される。なお、図１に示すように、表示部３１には、着弾点Ｙに基づく得点や、その着弾点Ｙが中心点Ｏからどの方向にズレたのかを理解させる描写等が併せて表示されることが好ましい。表示装置３はパーソナルコンピュータのディスプレイ部分で構成することができる。また、各種の液晶ディスプレイ等を利用することができる。表示時間は任意に設定し、変更することができる。例えば、次の軌跡用光弾Ａの連続発射が標的装置２で確認（情報処理部２４で認識）されたときに、表示部３１に表示されていた前回の軌跡Ｘ及び／又は着弾点Ｙを画面上から消去すれば、競技又は練習の実施に支障が生じないといえる。また、例えば、軌跡Ｘの表示時間を最初の表示から３秒と設定し、着弾点Ｙは競技終了まで消去されないように設定すること等も可能である。
【実施例】
【００３９】
以下、図１を参照しつつ、射手の射撃時の一連の動作に関するデータを、射撃競技指導用システムを使って取得する様子を説明する。以下の実施例は、競技が１０１．２点、１０２．４点、９８．７点を獲得した各シリーズ後の４シリーズ目に突入しており、射手が１回目〜３回目の射撃でそれぞれ８．５点、７．９点、１０．４点を獲得した後の、４回目の射撃を行った様子を説明している。
【００４０】
まず、射手は、所定の位置に立ち、銃口を標的装置２へ向けて射撃競技用光線銃１を構える。射撃競技用光線銃１のセットセンサ１７はすでにＯＮの状態とされている。射手は姿勢を正し、射撃競技用光線銃１の引き金部１２を引き始める。そうすると、引き金部１２の一端部１２ｂと接続していた第１センサ１４が、その接続状態が解かれて、これをセンシングし、制御部１６を通じて発光部１１の第１発光部１１１から軌跡用光弾Ａが連続発射される。
【００４１】
連続発射された軌跡用光弾Ａは標的装置２の標的２１に着弾し、その様子がカメラ２２で撮影されることによって捕らえられる。具体的には、軌跡用光弾受光部２２１で軌跡用光弾Ａが捕らえられ、続いて情報処理部２４において軌跡用光弾Ａの着弾点座標（ｇＸ，ｇＹ）が特定される。
【００４２】
特定された軌跡用光弾Ａの着弾点座標（ｇＸ，ｇＹ）の情報は表示装置３に送信され、表示部３１に表示される。軌跡用光弾Ａは引き金部１２が引き始められてから撃鉄部１３が落とされるまでのファーストステージの間、連続発射されているので、表示装置３に送信される軌跡用光弾Ａの着弾点座標（ｇＸ，ｇＹ）も連続する。この連続した軌跡用光弾Ａの着弾点座標（ｇＸ，ｇＹ）に、さらに着弾点と着弾点との間をつなぐ補正が加えられて、表示部３１には線状の軌跡Ｘとして着弾点が表示される。図１において線状の軌跡Ｘは、上下左右に揺れ動いているように認められる。これは照準を定めるのに射手の銃口が揺れていることを意味している。
【００４３】
次に、射手は、照準が良い範囲に入ったタイミングで、引き金部１２の一側部１２ａが撃鉄部１３に当接して発生する強い抵抗よりも強い力で引き金部１２を引き、撃鉄部１３を押圧してこれを落とす。これにより引き金部１２の他端部１２ｃが第２センサ１５と接続され、これを第２センサ１５がセンシングし、制御部１６を通じて発光部１１の第２発光体を発光させることで、射撃用光弾Ｂが発射される。同時に制御部１６は、第２センサ１５によるセンシングに基づいて発光部１１の第１発光体の連続発光を中止する。すなわち、撃鉄部１３が落とされると、軌跡用光弾Ａの連続発射が止むと同時に、射撃用光弾Ｂが１発、発射される。
【００４４】
１発のみ発射された射撃用光弾Ｂは標的装置２の標的２１に着弾し、これが射撃用光弾受光センサ２３で受光され、その旨が情報処理部２４に送信される。続いて情報処理部２４において、その旨が情報処理部２４に送信されるタイミングで算出した軌跡用光弾Ａの得点及び着弾点座標（ｇＸ，ｇＹ）が最後の着弾点であると特定され、射撃用光弾Ｂの着弾点Ｙの得点及び着弾点座標（ｇＸ，ｇＹ）の情報として表示装置３に送信される。この実施例では、射撃用光弾Ｂとして「９．６点」の得点が示されるとともに、「方向←」のように矢印により、標的２１の中心Ｏから向かってやや左に外れたところに着弾点Ｙが着弾した様子が理解される。
【００４５】
このように、本発明では、射手の構え始めから引き金部１２を引いて射撃用光弾Ｂを発射するまでの射手の動作、すなわち銃口の動きを軌跡用光弾Ａの連続発射に対応させて、表示部３１で線状の軌跡Ｘとして視覚的に捕らえることができる。これにより、例えば、射撃体勢時の射手の癖等、射撃時の射手の動作を理解し、また指導等するのに線状の軌跡Ｘを直接活用することができるようになる。
【００４６】
さらに、本発明を構成する射撃競技用光線銃１の構成は簡素であって、製造面においてコスト削減を実現することができる。メンテナンスの面でも取扱いが容易で、専門的な人材を必要最小限に抑えることができる。軌跡用光弾Ａの連続発射が止むと同時に、射撃用光弾Ｂが発射されるため、射撃用光弾Ｂに対して撃鉄部１３が落とされて発射される実際の射撃の意味を与えることができ、射撃競技の進行上、連続発射される軌跡用光弾Ａと混同されることを回避することができる。
【００４７】
ここで、本発明に係る射撃競技指導用システムは、表示装置において図１等で示すような線状の軌跡Ｘの表示に代えて、図５に示すように、軌跡用光弾Ａの連続発射に対応させて、銃口の上下の動きを時間経過と共に捕らえることのできる第２の軌跡Ｘ２を、標的２１上の平面的な線状の軌跡Ｘとともに表示するように構成することが可能である。図５に示すグラフ部（標的部とともに表示されている）では、射撃用光弾Ｂを発射する２秒前から、銃口の上下の動きとして第２の軌跡Ｘ２が時間経過と共に捕らえられていることが分かる。さらに、本発明に係る射撃競技指導用システムに、記憶媒体等を備えさせることにより、表示装置において構え始めから射撃用光弾Ｂを発射するまでの線状の軌跡Ｘ及び／又は第２の軌跡Ｘ２を、後の場面で再生する機能を付加して構成すること、「射撃用光弾Ｂを発射する１秒前から発射まで」といった図５の標的部に表示される線状の軌跡Ｘの特定部分と、これに対応する図５のグラフ部に表示される第２の軌跡Ｘ２の特定部分のみを表示するといった編集機能等を付加して構成することもできる。そして、第２の軌跡Ｘ２も、撃体勢時の射手の癖等、射撃時の射手の動作を理解に資するため、指導等するのに直接活用することができる。
【００４８】
以上、本発明について出願人が最良であると信じる実施形態の１つを詳述したが、本発明は、特許請求の範囲に記載された事項を逸脱することがなければ、上記実施形態に限定されることなく、種々の設計変更を行うことが可能である。
【００４９】
例えば、本発明において、第２発光部、第２発光体等の射撃用光弾に係る構成は必ずしも必要とされることがない。射撃用光弾は、軌跡用光弾の連続発射が止むと同時に発射され、その着弾点が線状の軌跡の最終端の位置（軌跡用光弾の連続発射の最終着弾点）と一致するため、上述したように、軌跡用光弾の連続発射の最終着弾点で代用することができるからである。その一方で、第２発光部、第２発光体等の射撃用光弾に基づいて直接、その位置（着弾点座標）及び得点を情報処理部で算出することもできる。
【００５０】
このほか、本発明を構成するにあたって、表示装置において高得点（例えば、１０．０以上）を獲得した射撃の得点及びその着弾点を赤色等により表示し、その他と区別して表示するといったこと、直近の射撃のみを赤色等により表示し、その他と区別して表示するといったこと、記憶媒体を備えさせて１発の射撃ごとに軌跡及び着弾点を記憶し、これを読み出して表示可能にするといったこと、着弾点付近のみを拡大表示するといったこと、練習時やリハーサル、試し打ちといった試射の場面と競技射撃である本射の場面を区別して表示するといったこと等の各種の機能を付与することができる。
【符号の説明】
【００５１】
１      光線銃
１０    光線銃本体
１１    発光部
１１１  第１発光部
１１２  第２発光部
１２    引き金部
１２ａ  一側部
１２ｂ  一端部
１２ｃ  他端部
１３    撃鉄部
１４    第１センサ
１５    第２センサ
１６    制御部
１７    セットセンサ
２      標的装置
２０    筐体
２１    標的
２２    カメラ
２２１  軌跡用光弾受光部
２３    射撃用光弾受光センサ
２４    情報処理部
３      表示装置
３１    表示部
Ａ      軌跡用光弾
Ｂ      射撃用光弾
Ｏ      中心点
Ｘ      軌跡
Ｘ２    第２の軌跡
Ｙ      着弾点
【図１】
2015124972.tif 000003
【図２】
2015124972.tif 000004
【図３】
2015124972.tif 000005
【図４】
2015124972.tif 000006
【図５】
2015124972.tif 000007